(57)【要約】【課題】発生した結露水が、室内に滴下することを防止できる天井輻射空調システムを提供する。【解決手段】天井部３に設けられた輻射パネル５の内部には、断熱材６の下面側に位置するように、輻射パネル本体１５が設けられている。  この輻射パネル本体１５の配管５ａ…は、配管７及び配管８を介して、冷温水を蓄える蓄熱タンク９０に接続されている。  この蓄熱タンク９０は、ヒートポンプユニット１００と接続されていて、深夜電力を用いて作られた冷温水が、蓄えられて、天井部３が冷却若しくは加熱されて、室２内の冷房若しくは暖房が行われる。  輻射パネル５には、配管５ａ…の下面側から一定距離離間されて湿気は、通すが、水は通さない機能を有する透湿防水シート１２が取り付けられている。【選択図】図１
2007132557.tif 000002
【特許請求の範囲】
【請求項１】
天井部に設けられた輻射パネルの内部に、配管を配策して、該配管内に空調流体を流通させることにより、該天井部を冷却若しくは加熱して、該天井部下面側空間の冷房若しくは暖房を行う天井輻射空調システムに設けられた輻射空調パネル構造であって、
前記輻射パネルの配管の下面側から一定距離離間されて、透湿防水シートが取り付けられていることを特徴とする輻射空調パネル構造。
【請求項２】
前記透湿防水シートは、前記パネル本体の側縁部に、断面Ｌ字型のアングル材を介して支持されていることを特徴とする請求項１記載の輻射空調パネル構造。
【請求項３】
前記透湿防水シートには、前記パネル本体側の上面を結露水が流下するように、水勾配が与えられていることを特徴とする請求項１又は２記載の輻射空調パネル構造。
【請求項４】
前記透湿防水シートの水勾配の下流側側縁には、結露水受け部材が設けられていることを特徴とする請求項３記載の輻射空調パネル構造。
【発明の詳細な説明】
【技術分野】
【０００１】
本発明は、主に住宅等、建物の天井部に設けられて、平板状の輻射パネルによって、輻射熱を用いた冷房若しくは暖房を行う天井輻射空調システムの輻射空調パネル構造に関するものである。
【背景技術】
【０００２】
従来、図５に示すような天井部３に平板状の輻射パネル５を設けて、この輻射パネル５の内部に配策された配管５ａ内に、空調流体を流通させることにより、天井部３を冷却若しくは加熱して、天井部３の下面側空間の冷房若しくは暖房を行う天井輻射空調システムが知られている（例えば、特許文献１等参照）。
【０００３】
まず、構成から説明すると、このような従来の天井輻射空調システムでは、住宅等の建物１の室２内の上部に位置する天井部３には、複数の配管５ａ…を配策した輻射パネル５が、天井板材４と、断熱材６との間の空間に設けられている。
【０００４】
この輻射パネル５の配管５ａ…は、配管７,８を介して、熱交換機９及び送風機１０と接続されている。
【０００５】
次に、この従来の天井輻射空調システムの作用効果について説明する。
【０００６】
このように構成された従来の天井輻射空調システムでは、前記送風機１０によって、空調流体としての空調空気が、前記配管７,８を介して、前記配管５ａ…内に循環される。
【０００７】
また、これらの空調空気が、前記熱交換機９によって、適切な温度に冷却又は加熱されている。
【０００８】
このため、空調空気の熱は、前記天井板材４からの熱輻射として、室２内に伝達される。
【０００９】
また、前記天井板材４の透湿抵抗値を、熱抵抗値に対して所定値以上となるように設定することにより、例えば、換気の為に窓を開けるなどして、湿った室外空気を室内に侵入させたとしても、天井板材４の表裏面に存在する室外空気の露点温度以下とならない為、結露の発生が抑制される。
【特許文献１】特開平９−２７３７７６号公報（００１１段落乃至００３４段落、図１）
【発明の開示】
【発明が解決しようとする課題】
【００１０】
このように構成された従来の天井輻射空調システムでは、急冷時等、天井板材４の表面温度が、露点温度を下回る場合には、結露が発生して、室２内に滴下してしまう虞があった。
【００１１】
また、前記配管５ａ…内の冷媒の温度を調温することは、困難で、配管５ａ…の外側面に、結露水が発生することは防止できないといった問題があった。
【００１２】
そこで、この発明は、発生した結露水が、室内に滴下することを防止できる天井輻射空調システムの輻射空調パネル構造を提供することを課題としている。
【課題を解決するための手段】
【００１３】
上記目的を達成するために、請求項１に記載された発明は、天井部に設けられた輻射パネルの内部に、配管を配策して、該配管内に空調流体を流通させることにより、該天井部を冷却若しくは加熱して、該天井部下面側空間の冷房若しくは暖房を行う天井輻射空調システムに設けられた輻射空調パネル構造であって、前記輻射パネルの配管の下面側から一定距離離間されて、透湿防水シートが取り付けられている輻射空調パネル構造を特徴としている。
【００１４】
また、請求項２に記載されたものは、前記透湿防水シートは、前記パネル本体の側縁部に、断面Ｌ字型のアングル材を介して支持されている請求項１記載の輻射空調パネル構造を特徴としている。
【００１５】
更に、請求項３に記載されたものは、前記透湿防水シートには、前記パネル本体側の上面を結露水が流下するように、水勾配が与えられている請求項１又は２記載の輻射空調パネル構造を特徴としている。
【００１６】
そして、請求項４に記載されたものは、前記透湿防水シートの水勾配の下流側側縁には、結露水受け部材が設けられている請求項３記載の輻射空調パネル構造を特徴としている。
【発明の効果】
【００１７】
このように構成された本願発明の請求項１記載のものは、前記輻射パネルの配管の下面側から一定距離離間されて取り付けられた前記透湿防水シートによって、前記輻射パネルで結露により発生した結露水が、下方に滴下しても、受け止められる。
【００１８】
このため、前記発生した結露水が、室内に滴下することを防止できる。
【００１９】
また、請求項２に記載されたものは、前記透湿防水シートが、前記パネル本体の側縁部に、断面Ｌ字型のアングル材を介して支持されている。
【００２０】
該アングル材によって、前記透湿防水シートの支持される端縁と、前記パネル本体の側縁部との間が、容易に水密となるので、更に、発生した結露水が、室内下方に滴下する虞が無くなる。
【００２１】
更に、請求項３に記載されたものは、前記透湿防水シートに与えられた水勾配によって、前記パネル本体側の上面を結露水が流下する。
【００２２】
このため、該パネル本体側の上面に結露水を滞留させること無く、容易に結露水を集水することが出来る。
【００２３】
また、請求項４に記載されたものは、前記透湿防水シートの水勾配の下流側側縁に設けられた結露水受け部材が、該透湿防水シートの上面を流下する結露水を受け止めて集水して、排水することができる。
【発明を実施するための最良の形態】
【００２４】
次に、図面に基づいて、この発明を実施するための最良の実施の形態の天井輻射空調システムについて説明する。
【００２５】
図１乃至図４は、この発明の最良の実施の形態の天井輻射空調システムを示すものである。
【００２６】
この実施の形態の天井輻射空調システムは、天井部３に平板状の輻射パネル５を設けて、この輻射パネル５の内部に配策された配管５ａ内に、空調流体としての冷温水（或いは不凍液）を流通させることにより、天井部３を冷却若しくは加熱して、天井部３の下面側空間である室２内の冷房若しくは暖房が行われるように構成されている。
【実施例１】
【００２７】
図１乃至図４に示すこの実施例１の天井輻射空調システムは、天井部３に設けられた輻射パネル５の内部には、断熱材６の下面側に位置するように、図４に示すような輻射パネル本体１５が設けられている。
【００２８】
この輻射パネル本体１５は、主に複数の配管５ａ…が、略水平方向に並設されると共に、略直交して接続される複数の長尺平板状の放熱フィン部材５ｂ…によって、一定間隔を置いて一体となるように固定されて構成されている。
【００２９】
これらの配管５ａ…は、図１に示すように、配管７及び配管８を介して、前記冷温水を蓄える蓄熱タンク９０に接続されている。
【００３０】
この蓄熱タンク９０は、ヒートポンプユニット１００と接続されていて、このヒートポンプユニット１００によって安価な深夜電力を用いて作られた冷温水が、蓄えられるように構成されている。
【００３１】
そして、前記冷温水を、前記配管５ａ…及び、配管７及び配管８内に流通させることにより、この天井部３を冷却若しくは加熱して、この天井部３下面側空間である室２内の冷房若しくは暖房が行われるように構成されている。
【００３２】
また、前記輻射パネル５には、この輻射パネル本体１５の配管５ａ…の下面側から一定距離離間されて、透湿防水シート１２が取り付けられている。
【００３３】
この透湿防水シート１２は、ＪＩＳ（ＪＩＳＡ６１１１）に規定されるように、湿気は通すが、水は通さない機能を有するシート状素材から、主に構成されている。
【００３４】
そして、この透湿防水シート１２は、図２に示すように、前記パネル本体１５の両側縁部１５ａ,１５ａ下面側に、吊り下げられるように固着される断面Ｌ字型の一対のアングル材１３，１３を介して支持されている。
【００３５】
これらの各アングル材１３,１３は、前記パネル本体１５の側縁部１５ａ,１５ａと略同一長さの長手方向寸法を有している。
【００３６】
また、このアングル材１３，１３は、内向き対向面側を開放するように、各底面部１３ａ，１３ａを略水平として固着されている。
【００３７】
そして、この底面部１３ａ，１３ａの上面側に、前記透湿防水シート１２の両側縁部１２ａ,１２ａが各々水密状態となるようにシールされて、貼設されている。
【００３８】
更に、この実施例１では、前記透湿防水シート１２には、図３に示すように、前記パネル本体１５側の上面１２ｂを結露水が流下するように、一定の水勾配α（α＝約０．５度〜３０度）が与えられている。
【００３９】
この透湿防水シート１２の水勾配αの下流側側縁１２ｃの下方には、結露水受け部材１４が設けられている。
【００４０】
この結露水受け部材１４は、上方を開放する断面略コ字状を呈していて、前記上面１２ｂを流下した結露水を受け止めると共に、更に、図３中紙面前後方向何れかに向けて下方に傾斜することにより、集水された結露水を、長手方向一方方向へ向けて排水可能としている。
【００４１】
次に、この実施例１の天井輻射空調システムの作用について説明する。
【００４２】
この実施例１の天井輻射空調システムでは、安価な深夜電力を用いて、前記ヒートポンプユニット１００が作動されると、このヒートポンプユニット１００によって、作られた冷温水が、前記蓄熱タンク９０に蓄えられる。
【００４３】
この冷温水は、必要に応じて、例えば、昼間等、前記配管７及び配管８を介して、前記輻射パネル５のパネル本体１５内に設けられた配管５ａ…内を循環することにより、このパネル本体１５の配管５ａと共に、複数の放熱フィン部材５ｂ…が、冷却若しくは加熱されて、この輻射パネル５の下方の室２内の輻射熱による冷暖房が行われる。
【００４４】
この際、前記パネル本体１５の配管５ａ…及び放熱フィン部材５ｂ…の外表面に、結露により、空気中の水分が凝集して、結露水が発生する。
【００４５】
この発生した結露水は、下方に向けて滴下しても、前記輻射パネル５の配管５ａ…の下面側から一定距離離間されて取り付けられた前記透湿防水シート１２によって、受け止められる。
【００４６】
このため、前記発生した結露水が、室２内に滴下することを防止できる。
【００４７】
また、この実施例１では、前記透湿防水シート１２が、前記パネル本体１５の側縁部１５ａ,１５ａに、断面Ｌ字型のアングル材１３,１３を介して支持されている。
【００４８】
このアングル材１３,１３は、前記パネル本体１５の各側縁部１５ａ,１５ａと略同一長さの長手方向寸法を有している。
【００４９】
しかも、このアングル材１３,１３の底面部１３ａ，１３ａの上面側に、前記透湿防水シート１２の両側縁部１２ａ,１２ａが各々水密状態となるようにシールされて、貼設されている。
【００５０】
このため、このアングル材１３,１３によって、前記透湿防水シート１２の支持される両側縁部１２ａ,１２ａと、前記パネル本体１５の各側縁部１５ａ,１５ａとの間が、容易に水密となるので、更に、発生した結露水が、このアングル材１３,１３と、前記パネル本体１５の側縁部１５ａ,１５ａとの間から漏れる等によって、室内下方に滴下する虞が無くなる。
【００５１】
更に、前記透湿防水シート１２に与えられた水勾配αによって、前記パネル本体１５側の上面１２ｂを、前記結露水受け部材１４の上方へ向けて、結露水が流下する。
【００５２】
このため、パネル本体１５側の上面１２ｂに結露水を滞留させること無く、容易に結露水を集水することが出来る。
【００５３】
また、前記透湿防水シート１２の水勾配αの下流側側縁に設けられた結露水受け部材１４が、透湿防水シート１２の上面を流下する結露水を受け止めて集水して、排水することができる。
【００５４】
この実施例１では、更に、図３中紙面前後方向何れかに向けて、この結露水受け部材１４が、下方に傾斜することにより、この結露水受け部材１４内に集水された結露水が、長手方向一方方向へ向けて排水される。
【００５５】
従って、この結露水受け部材１４内にも、結露水が滞留する虞が無く、排水効率が良好である。
【００５６】
しかも、この実施例１では、前記輻射パネル５のパネル本体１５の輻射の影響に加えて、前記アングル材１３,１３を介して、前記透湿防水シート１２が冷却若しくは加熱される。
【００５７】
このため、この透湿防水シート１２が、パネル本体１５と室２内の空間との間に介在されていても、室２内への輻射効率の低下量は少なく抑制される。
【００５８】
以上、図面を参照して、本発明の実施の形態を詳述してきたが、具体的な構成は、この実施の形態に限らず、本発明の要旨を逸脱しない程度の設計的変更は、本発明に含まれる。
【００５９】
即ち、前記実施例１では、前記輻射パネル５のパネル本体１５を、断熱材６の下面側に位置するように設けているが、特にこれに限らず、従来の天井パネルに代えて、この輻射パネル５を設けても良いと共に、従来の天井パネルの内側（室２内側）に追加して設けても良く、断熱材６の配置や、数量、形状及び材質等が特に限定されるものではない。
【００６０】
また、前記透湿防水シート１２は、室２内側の空間に露出していても良く、更に、室２内側側面に、貼設若しくは一定距離離間させて、透湿性を有する素材を設置してもよい。
【図面の簡単な説明】
【００６１】
【図１】この発明の最良の実施の形態の実施例１の天井輻射空調システムで、全体の構成を説明する模式図である。
【図２】実施例１の天井輻射空調システムで、輻射パネルの構造を説明する要部の断面図である。
【図３】実施例１の天井輻射空調システムで、透湿防水シートの水勾配を説明する模式的な側面図である。
【図４】実施例１の天井輻射空調システムで、パネル本体の斜視図である。
【図５】従来例の天井輻射空調システムの構成を説明する一部断面側面図である。
【符号の説明】
【００６２】
２              室（下側空間）
３              天井部
５              輻射パネル
５ａ            配管
５ｂ            放熱フィン部材
１２            透湿防水シート
１２ａ          側縁部
１２ｂ          上面側
１２ｃ          下流側側縁
１３            アングル材
１４            結露水受け部材
【図１】
2007132557.tif 000003
【図２】
2007132557.tif 000004
【図３】
2007132557.tif 000005
【図４】
2007132557.tif 000006
【図５】
2007132557.tif 000007